(57)【要約】【課題】車内照明灯に照明の効果だけでなく、車内音楽や車内の人の声の変化に伴いランプ光に点滅効果や発光ランプ色の変化を生じさせる、車両用LEDランプ音声制御モジュールの提供。【解決手段】本考案の車両用LEDランプ音声制御モジュールは、回路板から電源コネクタを延伸し、前記回路板上に複数の同じまたは異なるランプ色の発光ダイオード、音声感知器、調整器及び制御回路を設置し、前記制御回路が前記複数の発光ダイオード、音声感知器、調整器を電気的に接続し、回路板のコネクタを自動車に対応して設置された車内灯接続座体に差し込み、前記複数の同じまたは異なるランプ色の発光ダイオードに、自動車内の音楽や車内の人の話し声の大きさにより発生する音圧に伴い、内部ICが制御する回路をトリガして作動させ、迅速に点滅変化を生じさせ、異なるランプ色の動態的ランプ光の効果を形成する。【選択図】図１
0003138496.tif 000002
【実用新案登録請求の範囲】
【請求項１】
車両用LEDランプ音声制御モジュールであって、回路板、発光ダイオード、音声感知器及び制御回路が設けられ、そのうち、前記回路板から電源コネクタが延伸され、複数の前記発光ダイオードが一定のランプ色を発するために用いられ、前記音声感知器が外界の音声信号を感知して対応する感知信号を発生し、前記制御回路が前記回路板に結合され、電源レギュレータ回路、音声トリガ回路、音声トリガLED点滅変換制御IC、LEDランプドライバ回路から構成され、且つ、前記複数の発光ダイオードと音声感知器に電気的に接続されて１つの完全な電子回路を形成し、前記回路板の接続コネクタを自動車に対応して設置された接続座体に差し込み、感知された音声の音圧に伴って内部ICが制御する回路をトリガし、前記複数の発光ダイオードを作動させ、発光ダイオードの発光を制御することを特徴とする、車両用LEDランプ音声制御モジュール。        
【請求項２】
前記制御回路上に調整器を設け、前記音声感知器の敏感度を調整できるよう構成したことを特徴とする、請求項１に記載の車両用LEDランプ音声制御モジュール。
【請求項３】
前記複数の発光ダイオードが同じランプ色を呈し、同じ色のランプ色を発するために用いられることを特徴とする、請求項１に記載の車両用LEDランプ音声制御モジュール。      
【請求項４】
前記複数の発光ダイオードが異なるランプ色を呈し、異なる色のランプ色を発するために用いられることを特徴とする、請求項１に記載の車両用LEDランプ音声制御モジュール。
【請求項５】
前記複数の発光ダイオードが白色光、黄色光、赤色光、青色光及び緑色光のLED電球を含むことを特徴とする、請求項４に記載の車両用LEDランプ音声制御モジュール。      
【請求項６】
前記前記複数の異なるランプ色の発光ダイオードが混合状に分布排列されたことを特徴とする、請求項４に記載の車両用LEDランプ音声制御モジュール。
【請求項７】
前記複数の発光ダイオードがすべて並列接続方式を採用し、ランプセットとして構成されることを特徴とする、請求項３または４に記載の車両用LEDランプ音声制御モジュール。        
【請求項８】
前記複数の発光ダイオードがすべて直列接続方式を採用し、ランプセットとして構成されることを特徴とする、請求項３または４に記載の車両用LEDランプ音声制御モジュール。
【請求項９】
前記複数の発光ダイオードがすべて並列接続に直列接続方式を加えてランプセットとして構成されることを特徴とする、請求項３または４に記載の車両用LEDランプ音声制御モジュール。        
【請求項１０】
前記音声感知器がマイクロフォンであることを特徴とする、請求項１に記載の車両用LEDランプ音声制御モジュール。
【請求項１１】
前記音声感知器が回路板上に内蔵されて設置されることを特徴とする、請求項１に記載の車両用LEDランプ音声制御モジュール。   
【請求項１２】
前記音声感知器が回路板上に外付けされて設置されることを特徴とする、請求項１に記載の車両用LEDランプ音声制御モジュール。
【考案の詳細な説明】
【技術分野】
【０００１】
本考案は音源周波数の高さまたは速度に伴い発生する音圧でIC制御を介してLEDランプを作動させ、ランプの点滅効果に変換したり、異なる発光色に変化させたりする車両用LEDランプ音声制御モジュールに関し、車内空間での使用に適しており、車内で音楽を楽しむときにランプの光線を動態的に変化させ、視覚的美感を得ることができる、車両用LEDランプ音声制御モジュールに関する。
【背景技術】
【０００２】
従来の発光ダイオード（Light Emitting Diode、LED）電球は、体積が小さい、寿命が長い、駆動電圧が低い、発光効率が高い、冷光源である、消費電力量が低い、反応速度が速い、耐震性に優れている、等多くの利点があるため、光源として多く利用されており、我々の日常生活の中でも、家電や電話機、計器板照明、交通信号灯等製品など、あちこちで見受けられる。
【０００３】
室内照明においても、さまざまな装飾用発光ダイオード電球があり、各種化合物半導体材料及び部材構造を利用した発光ダイオードの変化で、赤色、オレンジ色、黄色、緑色、青色、紫色、白色等各種異なるランプ色の発光ダイオード電球を用い、排列方式や回路制御によって各種美しい視覚効果を得ている。
【０００４】
上述の従来の発光ダイオード電球は、室内照明、指示灯、屋外景観照明などに使用されているが、車内空間照明として取り付けられている電球は主に白色光発光ダイオードを利用しており、車のドアが開けられると、前記白色光発光ダイオードの通電が制御されて発光し、照明の効果を達するものである。同時に、ボタンスイッチを設定して車のドアが閉まっているとき、電源の導通位置を切り換えて白色光発光ダイオードに通電し、発光させて車内の照明に用いることができる。しかしながら、前記白色光発光ダイオードは単純に車のドアが開くと点灯したり、車のドアが閉まっているとき電源を入れて点灯させたりできるだけであり、他にいかなる変化もなく、理想的ではない。
【０００５】
この問題に鑑みて、本考案は車のドアが開かれると、前記白色光発光ダイオードの通電が制御されて発光し、照明の効果を得るほか、同時に音源の音圧の違いに伴って発光ランプ色の変化や点滅効果を発生させることができる車両用LEDランプ音声制御モジュールを提供し、照明の効果を得るだけでなく、運転の楽しみを向上し、消費者に提供することを研究開発の動機としている。
【考案の開示】
【考案が解決しようとする課題】
【０００６】
本考案の主な目的は、車内照明灯に照明の効果だけでなく、車内音楽や車内の人の声の変化に伴いランプ光に点滅効果や発光ランプ色の変化を生じさせる、車両用LEDランプ音声制御モジュールを提供することにある。
【０００７】
本考案の別の目的は、多様な雰囲気を作り出すことができる車両用LEDランプ音声制御モジュールで、新鮮なランプ光の変化で車内空間を娯楽場所に変え、情緒を興奮させる効果を発揮し、車両運転時の居眠りを防止することができる、車両用LEDランプ音声制御モジュールを提供することにある。        
【課題を解決するための手段】
【０００８】
上述の目的を達するため、本考案は、回路板から電源コネクタが延伸され、前記回路板上に複数の同じまたは異なるランプ色の発光ダイオード、音声感知器、調整器及び制御回路を設け、前記制御回路が前記複数の発光ダイオード、音声感知器と調整器に電気的に接続され、音声感知器で外界の音の音圧を受け取って感知信号を発生し、内部ICで制御される回路をトリガして前記複数の発光ダイオードを制御し、点滅変化や異なるランプ色の変換を行なう。      
【考案の効果】
【０００９】
この構成により、前記回路板の電源コネクタを自動車に対応して設置された車内灯接続座体に差し込み、前記複数の各ランプ色の発光ダイオードを自動車の音響から再生される旋律に伴い点滅や発光ランプ色の変化を行なわせることができる。  
【考案を実施するための最良の形態】
【００１０】
本考案のその他特徴及び具体的実施例について、以下図面に基づき詳細に説明する。
【００１１】
図１〜図３に示すように、本考案のLEDランプ音声制御モジュール１の構造は、回路板１１、電源コネクタ１１１、音声感知器１１２、調整器１１３、複数の異なるランプ色の発光ダイオード１１４a〜１１４e、座体１２及び前記回路板に包含される制御回路１３を含んで成る。
【００１２】
前記異なるランプ色の発光ダイオードは本図の実施例において、それぞれ白色光LED電球１１４a、黄色光LED電球１１４b、青色光LED電球１１４c、赤色光LED電球１１４d、緑色光LED電球１１４eを設けるものとする。
【００１３】
前記音声感知器１１２は外界の音声信号を受け取り、対応して感知信号を発生するものとし、本実施例においてこの音声感知器１１２はマイクロフォンとする。
【００１４】
前記調整器１１３は上述の音声感知器１１２が音圧を受け取る敏感度を調整する。
【００１５】
複数の異なるランプ色の発光ダイオード１１４a〜１１４eはすべて並列接続またはすべて直列接続、或いはすべて並列接続に直列接続を加える等、各種接続方式で１つのランプセットを結成することができ、前記複数の発光ダイオードは白色光を発することができる白色光LED電球１１４a、黄色光を発することができる黄色光LED電球１１４b、青色光を発することができる青色光LED電球１１４c、赤色光を発することができる赤色光LED電球１１４d、緑色光を発することができる緑色光LED電球１１４eを含み、異なる色のランプ光を発するという目的を達することができる。複数の発光ダイオードを同じランプ色とする場合、点滅効果を形成することができる。
【００１６】
前記座体１２は回路板１１の裏側に結合され、この座体は一枚の板状を呈し、且つ周縁に突出した保持部１２１が設けられ、座体周縁に高く突出した辺縁部１２２が形成され、さらに切欠部１２３が辺縁部１２２上に設けられ、前記電源コネクタ１１１の電線を穿出させるために用いることができ、必要に応じて電線を設けず電源コネクタ１１１を直接穿出させてもよい。
【００１７】
前記回路板が包含する制御回路１３は、上述の前記複数の異なるランプ色の発光ダイオード１１４a〜１１４e、音声感知器１１２と調整器１１３に電気的に接続され、１つの完全な電子回路を形成する。
【００１８】
図３に示すように、前記制御回路１３は電源レギュレータ回路１３１、音声トリガ回路１３２、音声トリガLED点滅変換制御IC１３３、LEDランプドライバ回路１３４及びすべて直列接続、或いはすべて並列接続に直列接続を加える等の各種接続方式で構成された複数の異なるランプ色の発光ダイオード１１４a〜１１４eのランプセットから構成される。前記音声感知器１１２と調整器１１３は音声トリガ回路１３２に接続され、同時に前記音声感知器１１２は内蔵式または外付け式で回路板１１上に設置される。本実施例においては内蔵式の設計を採用し、前記制御回路１３が音声感知器１１２の感知信号を受け取ると、前記音声トリガ回路１３２が音声トリガLED点滅変換制御IC１３３の制御を経た後、さらにLEDランプドライバ回路１３４を介して前記複数の発光ダイオード(１１４a〜１１４e)をそれぞれ異なる導電発光順序で制御し、ランプ光の色の変換を行い、視覚的効果を達成することができる。
【００１９】
図３、図４に示すように、前記複数の発光ダイオード１１４a〜１１４eが包含する白色光LED電球１１４a、黄色光LED電球１１４b、青色光LED電球１１４c、赤色光LED電球１１４d及び緑色光LED電球１１４eは混合状に分布排列され、これにより、前記制御回路１３が音声感知器１１２から付近の音声の音源を受け取り、音源の音圧を受け取った後対応する感知信号を発生し、且つ前記感知信号を利用して前記複数の発光ダイオード１１４a〜１１４eを制御し、前記複数の発光ダイオードの発光にランダムな導電発光を生じさせ、音源を感知信号の変化に伴い迅速に変化するランプ色に転換し、ランプ光の色の変換の視覚的効果を達することができる。
【００２０】
図５に示すように、実際の使用時には、前記LEDランプ音声制御モジュール１を自動車の車内上部の車内灯座体２の位置に結合させ、且つ、電源コネクタ１１１を自動車の車内灯座体２上に合わせて設置された挟持式接続端子３上のメス座体４に差し込んで接続する。図６に示すように、本考案の車両用LEDランプ音声制御モジュールにおいては、図６に示す本考案のモジュールに１本の共用の接続ワイヤ５を組み合わせ、接続ワイヤ５末端のオス座体６を挟持式接続端子３のメス座体４上に差し込むよう構成することができるため、製品全体の箱包装過程において、製造者は１つのLEDランプ音声制御モジュール１にオス座体６を備えた接続ワイヤ５を付属させ、接続ワイヤ５の末端を端子によりLEDランプ音声制御モジュール１の回路板上に接続したり、接続ワイヤ５の末端を一体として回路板上にはんだ付けしたり、或いは接続ワイヤ５の末端を回路板と挟持式接続端子３にそれぞれはんだ付けして接続したりすることができ、また、接続ワイヤ５に接続する接続端子を各種形態に変換することもでき、各種変化性を備えた接続ワイヤの電気接続設計でも本考案のLEDランプ音声制御モジュール１に通電する作用を発生することができる。
【００２１】
図３及び図６に示すように、自動車の車内灯スイッチをAUTO(自動)にした場合、車のドアが開かれると、前記回路板１１上の白色光発光ダイオード１１４aを制御して点灯させ、自動車の車内の照明として使用することができ、これは従来の車内灯の作用と同じである。車のドアを閉めると、発光ダイオードの中の白色光LED電球１１４aが消灯する。本考案のLEDランプ音声制御モジュールを起動したい場合は、まず自動車の車内灯スイッチをオン(ON)にし、さらにオン（ON）からオフ（OFF)にした後、回路板の予め定めた設定時間、例えば３〜１０秒間待って再度オン（ON)の位置に入れなおし、LEDランプ音声制御モジュール１の制御回路１３を実行状態に入らせ、自動車の運転者が車内の音楽をオンにすると、前記LEDランプ音声制御モジュール１上の音声感知器１１２が直ちに外界の音声周波数を感知し、音声トリガ回路１３２を介して前記音声周波数をトリガ信号に変換し、前記トリガ信号がさらに音声トリガLED点滅変換制御IC１３３を介して制御信号を発生し、前記制御信号がLEDランプドライバ回路１３４を経由して前記複数の発光ダイオード１１４a〜１１４eを駆動し、前記複数の発光ダイオード１１４a〜１１４eに外界音源に伴って変化をさせ、自動車車内ランプ光の雰囲気を生き生きと変化させる。自動車が目的地についた後は、自動車社内灯スイッチをオフ（OFF)にするだけで、前記LEDランプ音声制御モジュール１の作動を解除することができる。
【００２２】
且つ、調整器１１３の調整設定により、さらに音声感知器１１２の外界音圧の大小に対する感知程度基準を調整することで、前記複数の発光ダイオード１１４a〜１１４eが外界音声を受け取る大きさの程度を使用者の必要に合わせ、トリガ音圧レベルを変えることができる。
【００２３】
上述をまとめると、本考案は創作の予期する目的を確実に達成することができ、この車両用LEDランプ音声制御モジュールの提供により、任意に自分で元の車内灯の光源を交換し、車内で音楽を聴くのと同時に車内灯の色の変化の視覚的効果を楽しむことができ、実用的価値があることに疑いはなく、法に従いここに実用新案登録を出願するものである。
【図面の簡単な説明】
【００２４】
【図１】本考案の実施例の立体分解図である。
【図２】本考案の実施例の組み立て後の立体外観図である。
【図３】本考案の制御回路の回路ブロック図である。
【図４】本考案の実施例の回路板の組み立て後の平面図である。
【図５】本考案の使用例を示す立体図である。
【図６】本考案に接続端子を組み合わせて使用する例を示す立体図である。
【符号の説明】
【００２５】
１        LEDランプ音声制御モジュール
１１      回路板
１１１    電源コネクタ
１１２    音声感知器
１１３    調整器
１１４a  発光ダイオード（白色光LED電球）
１１４b  発光ダイオード（黄色光LED電球）
１１４c  発光ダイオード（青色光LED電球）
１１４d  発光ダイオード（赤色光LED電球）
１１４e  発光ダイオード（緑色光LED電球）
１２      座体
１２１    保持部
１２２    辺縁部
１２３    切欠部
１３      制御回路
１３１    電源レギュレータ回路
１３２    音声トリガ回路
１３３    音声トリガLED点滅変換制御IC
１３４    LEDランプドライバ回路
２        車内灯座体
３        挟持式接続端子
４        メス座体
５        接続ワイヤ
６        オス座体
【図１】
0003138496.tif 000003
【図２】
0003138496.tif 000004
【図３】
0003138496.tif 000005
【図４】
0003138496.tif 000006
【図５】
0003138496.tif 000007
【図６】
0003138496.tif 000008